(57)【特許請求の範囲】
【請求項１】
光学的パターン読取装置の光センサ若しくはラインイメージセンサから到来する電気的アナログ信号を、電気的二元信号に変換することが出来る、広帯域広ダイナミックレンジ・スライス回路であって、
広帯域広ダイナミックレンジ・スライス信号発生回路（６Ｅ）と、比較器（６Ｄ）とを含有し、
上記広帯域広ダイナミックレンジ・スライス信号発生回路（６Ｅ）は、ピーク整流ホールド回路（６Ｅ１）と、ガンマ補正回路（６Ｅ２１）と、注入成分調節回路（６Ｅ２２）とを含有し、
上記ピーク整流ホールド回路（６Ｅ１）は、逆並列に接続された１対のダイオード（Ｄ１，Ｄ２）と、１個のピークホールドコンデンサ（Ｃ１）との、直列接続回路から成り、
上記ガンマ補正回路（６Ｅ２１）は、１個のガンマ補正コンデンサＣ２から成る２端子回路であって、上記ダイオード対（Ｄ１，Ｄ２）に対して並列に接続され、
上記注入成分調節回路（６Ｅ２２）は、抵抗（Ｒ１）とコンデンサ（Ｃ３）との直列接続によって成る２端子回路であって、上記ピークホールドコンデンサ（Ｃ１）に対して並列に接続され、
上記比較器（６Ｄ）の一方の入力端子には、上記ダイオード対（Ｄ１，Ｄ２）の上側の接続点（Ｎ０）が接続され、他方の入力端子には、上記ピークホールドコンデンサ（Ｃ１）の上側の端子が、サミングノード（６Ｅ３）を介して接続されている、
広帯域広ダイナミックレンジ・スライス回路。
【請求項２】
光学的パターン読取装置の光センサ若しくはラインイメージセンサから到来する電気的アナログ信号を、電気的二元信号に変換することが出来る、光学的パターン読取装置用・広帯域広ダイナミックレンジ・信号処理回路であって、
対数増幅器（６Ａ）と、ローパスフィルタ（６Ｂ）と、リニア増幅器（６Ｃ）と、広帯域広ダイナミックレンジ・スライス回路とを含有し、
上記広帯域広ダイナミックレンジ・スライス回路は、広帯域広ダイナミックレンジ・スライス信号発生回路（６Ｅ）と、比較器（６Ｄ）とを含有し、
上記広帯域広ダイナミックレンジ・スライス信号発生回路（６Ｅ）は、ピーク整流ホールド回路（６Ｅ１）と、ガンマ補正回路（６Ｅ２１）と、注入成分調節回路（６Ｅ２２）とを含有し、
上記ピーク整流ホールド回路（６Ｅ１）は、逆並列に接続された１対のダイオード（Ｄ１，Ｄ２）と、１個のピークホールドコンデンサ（Ｃ１）との、直列接続回路から成り、
上記ガンマ補正回路（６Ｅ２１）は、１個のガンマ補正コンデンサＣ２から成る２端子回路であって、上記ダイオード対（Ｄ１，Ｄ２）に対して並列に接続され、
上記注入成分調節回路（６Ｅ２２）は、抵抗（Ｒ１）とコンデンサ（Ｃ３）との直列接続によって成る２端子回路であって、上記ピークホールドコンデンサ（Ｃ１）に対して並列に接続され、
上記比較器（６Ｄ）の一方の入力端子には、上記ダイオード対（Ｄ１，Ｄ２）の上側の接続点（Ｎ０）が接続され、他方の入力端子には、上記ピークホールドコンデンサ（Ｃ１）の上側の端子が、サミングノード（６Ｅ３）を介して接続されている、
光学的パターン読取装置用・広帯域広ダイナミックレンジ・信号処理回路。
【請求項３】
可動集光光学系（１４）と可動ラインイメージセンサ（１３）とを含有する可動光学ユニット（２０）を、可動光学ユニット駆動手段（２４）によって、垂直面内で周期的に揺動させて、垂直方向走査をさせると同時に、上記可動ラインイメージセンサ（１３）に電子的水平走査をさせることによって、光学的パターンを等価的にラスタ状に走査し、因って以って到来する光学的白黒信号を電気的アナログ信号に光電変換し、次いで当該電気的アナログ信号を電気的二元信号に変換する、光学的パターン読取装置であって、
上記可動ラインイメージセンサ（１３）に電気的に接続された信号処理回路（６）は、対数増幅器（６Ａ）と、ローパスフィルタ（６Ｂ）と、リニア増幅器（６Ｃ）と、広帯域広ダイナミックレンジ・スライス回路とを含有し、
上記広帯域広ダイナミックレンジ・スライス回路は、広帯域広ダイナミックレンジ・スライス信号発生回路（６Ｅ）と、比較器（６Ｄ）とを含有し、
上記広帯域広ダイナミックレンジ・スライス信号発生回路（６Ｅ）は、ピーク整流ホールド回路（６Ｅ１）と、ガンマ補正回路（６Ｅ２１）と、注入成分調節回路（６Ｅ２２）とを含有し、
上記ピーク整流ホールド回路（６Ｅ１）は、逆並列に接続された１対のダイオード（Ｄ１，Ｄ２）と、１個のピークホールドコンデンサ（Ｃ１）との、直列接続回路から成り、
上記ガンマ補正回路（６Ｅ２１）は、１個のガンマ補正コンデンサＣ２から成る２端子回路であって、上記ダイオード対（Ｄ１，Ｄ２）に対して並列に接続され、
上記注入成分調節回路（６Ｅ２２）は、抵抗（Ｒ１）とコンデンサ（Ｃ３）との直列接続によって成る２端子回路であって、上記ピークホールドコンデンサ（Ｃ１）に対して並列に接続され、
上記比較器（６Ｄ）の一方の入力端子には、上記ダイオード対（Ｄ１，Ｄ２）の上側の接続点（Ｎ０）が接続され、他方の入力端子には、上記ピークホールドコンデンサ（Ｃ１）の上側の端子が、サミングノード（６Ｅ３）を介して接続されている、
光学的パターン読取装置。
【発明の詳細な説明】
【０００１】
【発明の属する技術分野】
この出願の発明は、電子走査形光学的パターン読取装置及び光ビーム走査形光学的パターン読取装置、並びにこれらの装置に適合するスライス回路に関する。
特に、光学的記録媒体上に記録された光学的バターン、例えば多段式バーコードシンボル、二次元コードシンボル、更には多段式の文字、記号列等をも、光学的に読取ることが出来る、電子走査形光学的パターン読取装置及び光ビーム走査形光学的パターン読取装置、並びにそれらの装置に適合する広帯域広ダイナミックレンジ・スライス回路に関する。
【０００２】
【従来の技術】
物品情報の登録処理や情報管理等を行う分野が、商業、ＦＡ（ＦａｃｔｏｒｙＡｕｔｏｍａｔｉｏｎ）、物流、サービス業、等々と拡がるにつれて、取り扱う情報の種類が多岐に亙り、又、情報量が益々増大する傾向にある。
情報量の増大に伴って、多段式バーコード・シンボル、二次元コード・シンボル、或は多段式の文字、記号列等の使用・導入が夙（つと）に検討されている。
多段式バーコード・シンボル、二次元コード・シンボル、或は多段式の文字、記号列等をも読取る装置としては、ＴＶ（ｔｅｌｅ−ｖｉｓｉｏｎ）カメラ式情報パターン読取装置が知られている。
【０００３】
又、多段式の文字、記号列等々を光学的に読取るための手段として、光照射手段、回動ミラー、回動ミラー駆動手段、結像レンズ、ＣＣＤラインセンサ及びＡ／Ｄ変換回路から成る、光学的情報読取装置が開示されている（特開平７−２３０５２３号公報参照）。
上記装置の回動ミラー駆動手段は、回動ミラーの水平２等分線に即して配設された回動軸に直結され、而も〈回動−停止〉、〈回動−停止〉、・・・という間欠動作を繰り返す形式のものである。そして、ＣＣＤラインセンサは、ミラー駆動手段及び回動ミラーの回動時には動作せず、停止時（セット時）にのみ動作するように構成されている。
【０００４】
ＴＶカメラ式光学的情報パターン読取装置では、ＴＶカメラ、画像処理装置、及びＴＶモニタ等々の、高価な装置が必要であり、
室内照明の明るさに応じてＴＶカメラの絞りを調整しなければならないから、光学的情報パターン読取前の、段取りに時間が掛かるという問題があり、
ＴＶカメラの画像を光電変換する二次元的エリアセンサは、どうしても水平方向の有効画素数が限定されるため、情報パターン読取装置の解像度（分解能）の向上には限界がある。（ここに、解像度（分解能）とは、読取可能な情報パターンの最小線幅（寸法）をいう）。
又、回動ミラーが〈回動−停止〉、〈回動−停止〉、・・・を繰り返す形式の前記光学的情報読取装置では、読取速度が非常に遅く、その向上は本質的に困難である。
【０００５】
そこで、この出願の出願人は、前記の諸問題を解決することの出来る、新規な光学的パターン読取装置を、相継いで開発し、且つ、それらについて特許出願をした。（特開平９−２３１３０６号公報（特願平８−６８８６６号）、又は特願平１０−２４９０３６号参照）。
それらの光学的パターン読取装置は、構造的には図５の光学的パターン読取装置と同一又は類似のものであって、例えば、可動光学ユニット２０と、可動光学ユニット駆動手段２４とを含有し、当該可動光学ユニット２０は、可動光学集光系１４と、可動ラインイメージセンサ１３と、可動光学ユニット回動軸１８とを含有している。
上記可動光学ユニット２０は、非動作時には水平位置に静止し、動作時には上記可動光学ユニット駆動手段２４によって垂直面内において周期的且つ連続的に揺動せしめられ、それによって被読取部材（光学的パターン）に対する等価的垂直方向走査がなされる。同時に、可動ラインイメージセンサ１３においては、横方向の周期的乃至間欠的な電子的走査がなされ、それによって被読取部材に対する等価的な水平方向走査がなされる。
【０００６】
上記光学的パターン読取装置の信号処理回路には、公知のスライス回路（スライサ）、例えば図８の如きダイオード追従形スライス回路を使用することが考えられる。
図８のダイオード追従形スライス回路は、ダイオード追従形スライス信号発生回路と比較器とから成る。
ダイオード追従形スライス信号発生回路は、逆並列に接続された１対のダイオード（Ｄ１，Ｄ２）と、ピークホールドコンデンサＣ１との、直列接続回路から成る。
比較器は、例えば、演算増幅器と、その逆相入力端子（−端子）に接続された逆相入力抵抗Ｒ３と、その負帰還回路に接続された負帰還抵抗Ｒ４とから成る。逆相入力抵抗Ｒ３の左方の端子が、比較器の一方の入力端子であり、演算増幅器の正相入力端子（＋端子）が、同比較器の他方の入力端子である。
ダイオード追従形スライス信号発生回路中のピークホールドコンデンサＣの上側の端子の電位が、ダイオード追従形スライス信号と成る。
ダイオード対（Ｄ１，Ｄ２）の上側の接続点Ｎ０の入力アナログ信号（電位）は、抵抗Ｒ３を介して、演算増幅器の逆相入力端子（−端子）に印加され、ピークホールドコンデンサＣの上側の接続点Ｎ１からのスライス信号（電位）は、正相入力端子（＋端子）に印加される。
【０００７】
図８における、接続点Ｎ０の電位（即ちダイオード対（Ｄ１，Ｄ２）の上側の端子の電位）と、接続点Ｎ１の電位（即ちピークホールドコンデンサＣ１の上側の端子の電位）とを比較してみると、充電時には、接続点Ｎ０の電位が、接続点Ｎ１の電位よりも、ダイオードＤ２の順方向立上り電圧値（以下「ＶＦ値」という。）だけ高くなり、放電時には、接続点Ｎ１の電位が、接続点Ｎ０の電位よりも、ダイオードＤ１の順方向立上り電圧値ＶＦだけ低くなる。
従って、ピークホールドコンデンサＣ１の充電時には、比較器中の演算増幅器の逆相入力端子（−端子）の電位が正相入力端子（＋端子）の電位よりも高くなるから、同比鮫器の出力電圧は、ローレベルとなり、ピークホールドコンデンサＣ１の放電時には、正相入力端子（＋端子）の電位が逆相入力端子（−端子）の電位よりも高くなるから、同比較器の出力電圧は、ハイレベルとなる。
【０００８】
【従来技術の問題点】
光学的パターンにおける黒レベルの縦の画（かく）と横の画との直交点近傍、例えば図７（ａ）に示す「Ｅ」なる文字の縦の字画と横の字画との直交点近傍を、前記光学的パターン読取装置によってラスター状に走査するときは、ラインイメージセンサ中の一次元ＣＣＤ画素列の一部が、光学的パターンの結像の黒レベル（縦の字画）の中に入り、それに続く他の一部が白レベル（無字画領域）と黒レベル（横の字画）との境界領域に跨がるという事態が出来する。
そのとき、ラインイメージセンサの出力信号（光電変換信号）の波形は、図７（ｂ）の模式図のようになって、ローレベル（白レベル）、ハイレベル（黒レベル）、中間レベル（灰レベル）から成る三つのレベルを含有することと成る。
（実際の出力信号の波形は、上記三つのレベルを丸みを付けて連結したアナログ信号波形となるが、ここでは、簡単のため３元信号波形として示しておく。
又、光学的パターンの白レベル（若しくは黒レベル）に対してハイレベル（若しくはローレベル）が対応するか、ローレベル（若しくはハイレベル）が対応するかは、使用する増幅器の特性並びに段数如何によるのであるが、ここでは、黒レベルに対してはハイレベルを、白レベルに対してはローレベルを対応させておく。）
【０００９】
従来のスライス信号発生回路、例えばダイオード追従形スライス信号発生回路（図８参照）にあっては、図９（ａ）の模式図に太線で示す如き、中間レベル（灰レベル）を含むアナログ信号が入力されるときは、同図に細線で示す如き、スライス信号を発生する。このことは、実測によって、又計算によって確認することが出来る。
比較器に入力されたアナログ信号のカーブとスライス信号のカーブとが交錯して、両者の大小関係が反転する時は、当該比較器の出力信号レベルが、ローレベルからハイレベルへ、若しくはハイレベルからローレベルへと反転する。
その結果、比較器の出力信号（ＴＴＬ信号）、即ちダイオード追従形スライス回路の出力信号の波形は、図９（ｂ）の如く、二分割され、その中間に無用の白レベルが生ずることとなる。
かかる場合は、中段の横の字画の幅が、縦の字画の近傍で、部分的に細って仕舞うこととなる。
出力信号の波形が分断されという現象は、斜めの字画同士の交差点近傍（例えば「８」の字の中心の交差点近傍）を走査した時にも、生じ得ることである。
しかしながら、スライス回路の出力信号の波形は、図９（ｃ）の如く、一繋がりの二元信号でなければならない。
【００１０】
又、光学的パターンにおける横の画の境界領域、例えば「Ｅ」なる文字の上方にある横の字画の上側境界領域、又は下方にある横の字画の下側境界領域を、前記光学的パターン読取装置によって水平に走査する時は、ラインイメージセンサ中の一次元ＣＣＤ画素列の一部が、白レベル（無字画領域）と黒レベル（横の字画）との境界領域、又は黒レベルと白レベルとの境界領域にに跨がるという事態が出来する。
その時にも、ラインイメージセンサの出力信号（光電変換信号）の振幅は、中間レベル（灰レベル）と成る。
従来のスライス回路、例えばダイオード追従形スライス回路（図８参照）にあっては、より小振幅の中間レベル（灰レベル）を含むアナログ信号が入力されたときは、当該回路の出力信号はローレベルの儘（まま）である。
かかる場合は、横の字画の幅が全体的に細って仕舞うこととなる。
【００１１】
更に、高分解能（例えば細バー幅：０．１５ｍｍ）の光学的パターンを走査した時の光電変換信号（電気的アナログ信号）や、低分解能（例えば細バー幅：０．６６ｍｍ以上）の光学的パターンを走査した時の光電変換信号を、一個同一のスライス回路で広ダイナミックにスライスすることは、甚だ困難であった。
更に又、印刷の掠（かす）れた文字等を走査した時には、発生する光電変換信号（電気的アナログ信号）が微小な中間レベル（灰レベル）となるのであるが、かかる信号のスライスは、甚だ困難であった。
【００１２】
【発明の目的】
それ故、この出願の発明の第１の目的は、被読取部材上の二次元的な光学的パターンをラスタ状に走査した場合に、横の画（かく）の幅が部分的にも全体的にも細ることの無い、光学的パターン読取装置を提供することにある。
この出願の発明の第２の目的は、被読取部材上の二次元的な光学的パターンをラスタ状に走査した場合に、ラインイメージセンサの出力端子から中間レベル（灰レベル）を含むアナログ信号が与えられた時でも、ローレベル（白レベル）及びハイレベル（黒レベル）のみから成る二元信号を生成することが出来る、広帯域広ダイナミックレンジ・信号処理回路を提供することにある。
この出願の発明の第３の目的は、被読取部材上の二次元的な光学的パターンをラスタ状に走査した場合に、ラインイメージセンサから与えられるアナログ信号が中間レベル（灰レベル）を含む時でも、広帯域広ダイナミックレンジにスライスして、ローレベル及びハイレベルのみから成る二元信号を生成することが出来る、広帯域広ダイナミックレンジ・スライス回路を提供することにある。
この出願の発明の第４の目的は、高分解能（例えば細バー幅：０．１５ｍｍ）の光学的パターンを走査した時の光電変換信号（電気的アナログ信号）から、低分解能（例えば細バー幅：０．６６ｍｍ以上）の光学的パターンを走査した時の光電変換信号までも、広帯域広ダイナミックにスライスすることが出来る、広帯域広ダイナミックレンジ・スライス回路を提供することにある。
この出願の発明の第５の目的は、印刷の掠（かす）れた光学的パターン部分を走査した時の光電変換信号（電気的アナログ信号）をも、広帯域広ダイナミックにスライスすることが出来る、広帯域広ダイナミックレンジ・スライス回路を提供することにある。
この出願の発明の第６の目的は、上記の諸目的を達成しながら、而も回路構成の比較的簡単な、広帯域広ダイナミックレンジ・スライス回路を提供することにある。
この出願の発明の第７の目的は、上記の諸目的を達成しながら、而も製造コストの極めて低廉な、広帯域広ダイナミックレンジ・スライス回路を提供することにある。
【００１３】
【目的を達成するための手段】
前記の諸問題を解消し、前記の諸目的を達成するため、この出願の発明の第１の形態を成す広帯域広ダイナミックレンジ・スライス回路は、
光学的パターン読取装置の光センサ若しくはラインイメージセンサから到来する電気的アナログ信号を、電気的二元信号（オン・オフ信号）に変換することが出来る、スライス回路であって、
広帯域広ダイナミックレンジ・スライス信号発生回路６Ｅと、比較器６Ｄとを含有し、
広帯域広ダイナミックレンジ・スライス信号発生回路６Ｅは、ピーク整流ホールド回路６Ｅ１と、ガンマ補正回路６Ｅ２１と、注入成分調節回路６Ｅ２２とを含有し、
ピーク整流ホールド回路６Ｅ１は、逆並列に接続された１対のダイオード（Ｄ１，Ｄ２）と、１個のピークホールドコンデンサＣ１との、直列接続回路から成り、
ガンマ補正回路６Ｅ２１は、１個のガンマ補正コンデンサＣ２から成る２端子回路であって、ダイオード対（Ｄ１，Ｄ２）に対して並列に接続され、
注入成分調節回路６Ｅ２２は、抵抗Ｒ１とコンデンサＣ３との直列接続によって成る２端子回路であって、ピークホールドコンデンサＣ１に対して並列に接続され、
比較器６Ｄの一方の入力端子には、上記ダイオード対（Ｄ１，Ｄ２）の上側の接続点Ｎ０が接続され、他方の入力端子には、上記ピークホールドコンデンサＣ１の上側の端子がサミングノード６Ｅ３を介して接続されている、
ものである。
【００１４】
この出願の発明の第２の形態を成す光学的パターン読取装置用・広帯域広ダイナミックレンジ・信号処理回路は、
光学的パターン読取装置の光センサ若しくはラインイメージセンサから到来する電気的アナログ信号を、電気的二元信号（オン・オフ信号）に変換することが出来る、信号処理回路であって、
対数増幅器６Ａと、ローパスフィルタ６Ｂと、リニア増幅器６Ｃと、広帯域広ダイナミックレンジ・スライス回路とを含有し、
広帯域広ダイナミックレンジ・スライス回路は、広帯域広ダイナミックレンジ・スライス信号発生回路６Ｅと、比較器６Ｄとを含有し、
広帯域広ダイナミックレンジ・スライス信号発生回路６Ｅは、ピーク整流ホールド回路６Ｅ１と、ガンマ補正回路６Ｅ２１と、注入成分調節回路６Ｅ２２とを含有し、
ピーク整流ホールド回路６Ｅ１は、逆並列に接続された１対のダイオード（Ｄ１，Ｄ２）と、１個のピークホールドコンデンサＣ１との、直列接続回路から成り、
ガンマ補正回路６Ｅ２１は、１個のガンマ補正コンデンサＣ２から成る２端子回路であって、ダイオード対（Ｄ１，Ｄ２）に対して並列に接続され、
注入成分調節回路６Ｅ２２は、抵抗Ｒ１とコンデンサＣ３との直列接続によって成る２端子回路であって、ピークホールドコンデンサＣ１に対して並列に接続され、
比較器６Ｄの一方の入力端子には、上記ダイオード対（Ｄ１，Ｄ２）の上側の接続点Ｎ０が接続され、他方の入力端子には、上記ピークホールドコンデンサＣ１の上側の端子が、サミングノード６Ｅ３を介して、接続されている、
ものである。
【００１５】
この出願の発明の第３の形態を成す光学的パターン読取装置は、
可動集光光学系１４と可動ラインイメージセンサ１３とを含有する可動光学ユニット２０を、可動光学ユニット駆動手段２４によって、垂直面内で周期的に揺動させて、垂直方向走査をさせると同時に、上記可動ラインイメージセンサ１３に電子的水平走査をさせることによって、光学的パターンを等価的にラスタ状に走査し、因って以って到来する光学的白黒信号を電気的アナログ信号に光電変換し、次いで当該電気的アナログ信号を電気的二元信号（オン・オフ信号）に変換する、光学的パターン読取装置であって、
可動ラインイメージセンサ１３に接続された信号処理回路６は、対数増幅器６Ａと、ローパスフィルタ６Ｂと、リニア増幅器６Ｃと、広帯域広ダイナミックレンジ・スライス回路とを含有し、
広帯域広ダイナミックレンジ・スライス回路は、広帯域広ダイナミックレンジ・スライス信号発生回路６Ｅと、比較器６Ｄとを含有し、
広帯域広ダイナミックレンジ・スライス信号発生回路６Ｅは、ピーク整流ホールド回路６Ｅ１と、ガンマ補正回路６Ｅ２１と、注入成分調節回路６Ｅ２２とを含有し、
ピーク整流ホールド回路（６Ｅ１）は、逆並列に接続された１対のダイオード（Ｄ１，Ｄ２）と、１個のピークホールドコンデンサＣ１との、直列接続回路から成り、
ガンマ補正回路６Ｅ２１は、１個のガンマ補正コンデンサＣ２から成る２端子回路であって、ダイオード対（Ｄ１，Ｄ２）に対して並列に接続され、
注入成分調節回路６Ｅ２２は、抵抗Ｒ１とコンデンサＣ３との直列接続によって成る２端子回路であって、ピークホールドコンデンサＣ１に対して並列に接続され、
比較器６Ｄの一方の入力端子には、上記ダイオード対（Ｄ１，Ｄ２）の上側の接続点Ｎ０が接続され、他方の入力端子には、上記ピークホールドコンデンサＣ１の上側の端子が、サミングノード６Ｅ３を介して、接続されている、
ものである。
【００１６】
【発明の実施の形態】
［第１の実施の形態］
この出願の発明の第１の実施の形態の広帯域広ダイナミックレンジ・スライス回路について説明する。
図１は、同回路の内部構成を示す図である。
図１において、６Ｅ１はピーク整流ホールド回路、６Ｅ２１はガンマ補正回路（γ補正回路）、６Ｅ２２は注入成分調節回路、６Ｅ３はサミング・ノード、６Ｅ４はＤＣオフセット回路である。（画像の諧調特性の各部における接線の勾配はγ（ガンマ）と呼ばれる。社団法人電子情報通信学会ハンドブック委員会編集「電子情報通信ハンドブック」、昭和６３年３月３０日株式会社オーム社発行、第１０９５頁末行〜第１０９６頁始行参照）。
ピーク整流ホールド回路６Ｅ１は、逆並列に接続された１対のダイオード（Ｄ１，Ｄ２）と、１個のピークホールドコンデンサＣ１との、直列接続回路から成る。
Ｎ０は、広帯域広ダイナミックレンジ・スライス回路の入力点、別言すれば、ダイオード対（Ｄ１，Ｄ２）の上側の接続点、Ｎ１は、ダイオード対（Ｄ１，Ｄ２）とピークホールドコンデンサＣ１との接続点、別言すればピークホールドコンデンサＣ１の上側の接続点である。
【００１７】
ガンマ補正回路６Ｅ２１は、１個のガンマ補正コンデンサＣ２から成る２端子回路である。そして、ダイオード対（Ｄ１，Ｄ２）に対して並列に接続されている。
注入成分調節回路６Ｅ２２は、抵抗Ｒ１とコンデンサＣ３との直列接続によって成る２端子回路である。そして、ピークホールドコンデンサＣ１に対して並列に接続されている。
Ｎ２は、ガンマ補正回路６Ｅ２１と注入成分調節回路６Ｅ２２との接続点である。
ＤＣオフセット回路６Ｅ４は、ＤＣオフセット電源ＶＣＣと抵抗Ｒ２とから成る。但し、ＤＣオフセット電源ＶＣＣは、省略することが出来る。Ｎ３は、ＤＣオフセット回路６Ｅ４の上側の接続点である。
接続点Ｎ１、Ｎ２及びＮ３に繋がる水平な導線は、サミング・ノード６Ｅ３を構成する。
比較器６Ｄの一方の入力端子には、上記ダイオード対（Ｄ１，Ｄ２）の上側の接続点Ｎ０が接続され、他方の入力端子には、上記ピークホールドコンデンサＣ１の上側の接続点Ｎ１が、サミングノード６Ｅ３を介して、接続される。
【００１８】
図１の広帯域広ダイナミックレンジ・スライス回路の動作について説明する。
図２は、同回路の第１の動作の説明図である。
図２において、Ｘ軸はオッシロスコープの横軸、Ｙ軸は同縦軸である。ＣＨ１は、スライスされるべき入力アナログ信号の実測値（電圧）、即ち図１の入力点Ｎ０に供給された入力アナログ信号の実測値である。同図においては、入力アナログ信号ＣＨ１は、左から順にローレベル（白レベル）、ハイレベル（黒レベル）、中間レベル（灰レベル）、ローレベル（白レベル）となっている。（光学的パターンの白レベル若しくは黒レベルと、入力アナログ信号のハイレベル若しくはローレベルとの対応関係は、使用する増幅器の特性と段数如何によって決せられるのであるが、ここでは、便宜上光学的パターンの白レベルには入力アナログ信号のローレベルが、黒レベルにはハイレベルが対応するものとする）。
このような入力アナログ信号は、前述の如く、前記光学的パターン読取装置によって、光学的パターンにおける黒レベルの縦の画（かく）と横の画との直交点近傍、例えば図７（ａ）に示す「Ｅ」なる文字の縦の字画と横の字画との直交点近傍を通って、水平方向に走査したときに、発生する。即ち、ラインイメージセンサ中の一次元ＣＣＤ画素列の一部が、光学的パターンの結像の中の黒レベル（の縦の画）の中に入り、それに続く他の一部が白レベル（無画領域）と黒レベル（の横の画）との境界領域に跨がることによって、発生するのである。
【００１９】
ＣＨ２は、上記入力アナログ信号ＣＨ１に追従せしめられて成る、スライス信号、即ち上記入力アナログ信号ＣＨ１に基づいて図１内の広帯域広ダイナミックレンジ・スライス信号発生回路によって生成されたスライス信号である。
上記入力アナログ信号ＣＨ１と上記スライス信号ＣＨ２との間の差電圧は、略ダイオードＤ１若しくはＤ２の順方向立上り電圧ＶＦと合致する。
ＣＨ４は、図１内の比較回路Ｄの出力信号（電圧）、即ち上記入力アナログ信号ＣＨ１を上記スライス信号ＣＨ２によってスライスして成る二元信号である。（本来ならば、図１の回路において、スライス信号ＣＨ２＞入力アナログ信号ＣＨ１の時、出力信号ＣＨ４がハイレベル、入力アナログ信号ＣＨ１＞スライス信号ＣＨ２の時、出力信号ＣＨ４がローレベルに成るのであるが、ここでは、便宜上その逆にしておく）。
図１から窺知されるように、上記入力アナログ信号ＣＨ１と上記スライス信号ＣＨ２とが相交錯して、両者の大小関係が逆転する度毎に、比較回路の出力信号ＣＨ４が、或はローレベルからハイレベルへ、或はハイレベルからローレベルへと反転する。
それ故、この出願の発明による広帯域広ダイナミックレンジ・スライス回路を使用するときは、ラインイメージセンサから、ローレベル（白レベル）、ハイレベル（黒レベル）、中間レベル（灰レベル）、そして白レベル（ローレベル）から成る一繋がりの電気的アナログ信号が、同回路に供給された場合であっても、同回路から出力されるハイレベル（若しくはローレベル）の信号の波形が、左右２個（前後２個）に分割される虞は無くなる。
【００２０】
図３は、前記広帯域広ダイナミックレンジ・スライス回路の第２の動作の説明図である。
図３の入力アナログ信号ＣＨ１の波形は、左から順にローレベル（白レベル）、ハイレベル（黒レベル）、中間レベル（灰レベル）、ハイレベル（黒レベル）、そしてローレベル（白レベル）となっている。
このような入力アナログ信号ＣＨ１は、前述の如く、光学的パターンにおける黒レベルの斜めの画（かく）同士の交差点近傍、例えば「８」なる文字の央部交差点近傍を通って水平方向に走査したときに、発生する。即ち、ラインイメージセンサ内の一次元ＣＣＤ画素列の一部が、光学的パターンの結像の中の白レベル（無画領域）と黒レベル（の斜めの画同士の交差点近傍）との境界領域に跨がり、而もそれに隣接する左右両部分が、黒レベル（の斜めの画）の中に入ることによって、発生するのである。
図３におけるその余の事項は、図２と同様である。
それ故、この出願の発明による広帯域広ダイナミックレンジ・スライス回路を使用するときは、ラインイメージセンサから、ローレベル（白レベル）、ハイレベル（黒レベル）、中間レベル（灰レベル）、ハイレベル（黒レベル）、そしてローレベル（白レベル）から成る一繋がりの電気的アナログ信号が、同回路に供給された場合であっても、同回路から出力されるハイレベル（若しくはローレベル）の信号の波形が、左右２個（前後２個）に分割される虞は無くなる。
【００２１】
図１に戻って、広帯域広ダイナミックレンジ・スライス回路６Ｅの、各構成部分の役割について、説明する。
ガンマ補正回路６Ｅ２１、即ちガンマ補正コンデンサＣ２から成る２端子回路と、Ｙ軸量の追尾性が悪化する。
【００２３】
この出願の発明の第２の実施の形態の広帯域広ダイナミックレンジ・信号処理回路について説明する。
図６は、同回路の内部構成を示すブロック図である。
図６において、６は広帯域広ダイナミックレンジ・信号処理回路であって、６Ａは対数増幅器、６Ｂはローパスフィルタ、６Ｃはリニアアンプ（増幅器）、６Ｄは比較器、６Ｅは広帯域広ダイナミックレンジ・スライス回路である。
対数増幅器６Ａは、上記信号処理回路６の広帯域広ダイナミックレンジ特性を強化するために導入したものである。
【００２４】
図６の対数増幅器６Ａは、互いに特性の異なる第一対数増幅器６Ａ１と第二対数増幅器６Ａ２とを並列に接続して成るものである（特開平６−１９５４９６号公報参照）。
第一対数増幅器６Ａ１は、例えば、ＰＣＳ値の補正を行うことを主な目的とするが、光学的分解能において平常的な周波数レベルよりも高い周波数の分解能比の補正も行うことが出来るものである。
第二対数増幅器６Ａ２は、例えば、光学的分解能において平常的な周波数レベルよりも低い周波数の分解能比から第一対数増幅器６Ａ１同じ周波数の範囲も含む分解能比の補正を行うことが出来るものである。
但し、対数増幅器６Ａは、唯１個の対数増幅器だけとすることも出来る。
【００２５】
ローパスフィルタ６Ｂ及びリニアアンプ（増幅器）６Ｃには、公知の回路を使用出来るが、広帯域特性を有するものが望ましい。
広帯域広ダイナミックレンジ・スライス回路６Ｅは、前述の通りである。
この出願の発明の信号処理回路を使用するときは、対数増幅器６Ａとスライス回路６Ｅとの相乗作用によって、更なる広帯域広ダイナミックレンジ特性を実現することが出来る。
【００２６】
この出願の発明の第３の実施の形態の光学的パターン読取装置について説明する。
図５は、同読取装置の機械的構造部分の説明図である。
図５において、１は筐体、８は光照射手段、９は原動機、１３は可動ラインイメージセンサ、１４は可動集光光学系、１７は被読取部材、１８は可動光学ユニット回動軸、２０は可動光学ユニット、２４は可動光学ユニット駆動手段、３０は可動光学ユニットカバー、３２は可動光学ユニットベースである。
可動光学ユニット２０は、可動集光光学系１４と可動ラインイメージセンサ１３とを含有する。
【００２７】
光学的パターン読取装置の動作について説明する。
可動光学ユニット２０は、可動光学ユニット駆動手段２４によって、垂直面内で周期的に揺動せしめられ、垂直方向走査を行う。
同時に、可動ラインイメージセンサ１３は電子的水平走査をせしめられ、それによって、光学的パターンを等価的にラスタ状に走査する。
因って以って到来する光学的白黒信号は、可動ラインイメージセンサ１３によって電気的アナログ信号に光電変換され、次いで当該電気的アナログ信号は、
広帯域広ダイナミックレンジ・信号処理回路６によって、電気的二元信号（オン・オフ信号）に変換される。
広帯域広ダイナミックレンジ・信号処理回路６の動作特性は、前述の通りである。
【００２８】
【発明の効果】
この出願の発明は、以上のように、新規且つ独自の構成を導入したから、下記（ａ）〜（ｅ）の通り、顕著な効果を奏することが出来る。
（ａ）横の字画の幅が、部分的乃至全体的に細る現象が生じない。
（ｂ）高分解能から低分解能まで（０．１５ｍｍから０．６６ｍｍ以上）の任意の光学的パターンの光電変換信号（電気的アナログ信号）を、広ダイナミックにスライスすることができる。
（ｃ）印刷のかすれ等に対応する光電変換信号（電気的アナログ信号）をも広ダイナミックにスライスすることができる。
（ｄ）回路構成が比較的簡単である。
（ｅ）従って、製造コストが低廉である。
【図面の簡単な説明】
【図１】この出願の発明の第１の実施の形態の広帯域広ダイナミックレンジ・スライス回路の内部構成を示す図である。
【図２】上記第１の実施の形態の第１の動作の説明図である。
【図３】上記第１の実施の形態の第２の動作の説明図である。
【図４】この出願の発明の第１の実施の形態の広帯域広ダイナミックレンジ・スライス回路のブロック図である。
【図５】この出願の発明の第３の実施の形態の光学的パターン読取装置の機械的構造部分の説明図である。
【図６】この出願の発明の第２の実施の形態の信号処理回路のブロック図である。
【図７】ラインイメージセンサの出力信号波形の一例の説明図である。
【図８】従来のダイオード追従形スライス回路を示す図である。
【図９】従来のダイオード追従形スライス回路及び上記広帯域広ダイナミックレンジ・スライス回路の各動作説明用の模式図である。
【符号の説明】
１  筐体
６  信号処理回路
６Ａ  対数増幅器
６Ｂ  ローパスフィルタ
６Ｃ  リニアアンプ（増幅器）
６Ｄ  比較器
６Ｅ  広帯域広ダイナミックレンジ・スライス信号発生回路
６Ｅ１  ピーク整流ホールド回路
６Ｅ２  アナログ信号解析追従回路
６Ｅ２１  ガンマ補正回路
６Ｅ２２  注入成分調節回路
６Ｅ３  サミングノード
６Ｅ４  ＤＣオフセット回路
８  光照射手段
９  原動機
１３  可動ラインイメージセンサ
１４  可動集光光学系
１７  被読取部材
１８  可動光学ユニット回動軸
２０  可動光学ユニット
２４  可動光学ユニット駆動手段
３０  可動光学ユニットカバー
３２  可動光学ユニットベース
【図１】
0004323003.tif 000002
【図４】
0004323003.tif 000003
【図２】
0004323003.tif 000004
【図３】
0004323003.tif 000005
【図５】
0004323003.tif 000006
【図６】
0004323003.tif 000007
【図７】
0004323003.tif 000008
【図８】
0004323003.tif 000009
【図９】
0004323003.tif 000010